(57)【要約】【課題】  弾性体の表面状態による影響を受けることなく、ばらつきが可及的に少ない回転トルクを発生させることができる塗膜転写具を提供する。【解決手段】  ケース内に塗膜転写テープを巻装した繰出コアと使用後の塗膜転写テープを巻取る巻取コアとが動力伝達機構を介して連動するとともに、弾性体の復元力を利用して部品間の摺動面に生じさせた摩擦力により巻取コアまたは繰出コアの回転トルクを発生させるようにした自動巻取式の塗膜転写具において、前記弾性体が、当該弾性体の一端と当接するＡ部品と、他端と当接するＢ部品とともに、一体的に回転するようにする。【選択図】  図１
2016107553.tif 000002
【特許請求の範囲】
【請求項１】
ケース内に塗膜転写テープを巻装した繰出コアと使用後の塗膜転写テープを巻取る巻取コアとが動力伝達機構を介して連動するとともに、弾性体の復元力を利用して部品間の摺動面に生じさせた摩擦力により巻取コアまたは繰出コアの回転トルクを発生させるようにした自動巻取式の塗膜転写具において、
前記弾性体が、当該弾性体の一端と当接するＡ部品と、他端と当接するＢ部品とともに、一体的に回転するようにしたことを特徴とする塗膜転写具。
【請求項２】
弾性体が圧縮スプリングである請求項１記載の塗膜転写具。
【請求項３】
Ａ部品を中間にして、弾性体と反対側に位置させたＣ部品と、Ａ部品とを当接させて摺動することによって生ずる、Ｃ部品とＡ部品間の摺動面の摩擦力を、巻取コアまたは繰出コアの回転トルクの少なくとも一部とした請求項１または２に記載の塗膜転写具。
【請求項４】
Ｂ部品を中間にして、弾性体と反対側に位置させたＤ部品と、Ｂ部品とを当接させて摺動することによって生ずる、Ｄ部品とＢ部品間の摺動面の摩擦力を、巻取コアまたは繰出コアの回転トルクの少なくとも一部とした請求項１〜３のいずれかに記載の塗膜転写具。
【請求項５】
端部に係止部を有する筒状の回転軸を備える繰出コア用ギア（Ｂ部品）の前記回転軸に弾性体、環状のスペーサ（Ａ部品）、繰出コアと一体的に回転する環状の弾性体ストッパ（Ｃ部品）の三者を順次、外嵌して、前記係止部をもって抜け止めするとともに、前記繰出コア用ギアの回転軸を、ケース内に突設した支軸に回転可能に外嵌し、かつ前記繰出コア用ギアと前記弾性体と前記スペーサが一体的に回転するようにして、前記スペーサと前記弾性体ストッパ間の摺動面、および前記弾性体ストッパと前記繰出コア用ギアの係止部間の摺動面に生ずる摩擦力を、動力伝達機構を介して巻取コアの回転トルクの少なくとも一部とした請求項３に記載の塗膜転写具。
【請求項６】
端部に係止部を有する筒状の回転軸を備える繰出コア用ギア（Ｄ部品）の前記回転軸に環状のスペーサ（Ｂ部品）、弾性体、繰出コアと一体的に回転する環状の弾性体ストッパ（Ａ部品）の三者を順次、外嵌して、前記係止部をもって抜け止めするとともに、前記繰出コア用ギアの回転軸を、ケース内に突設した支軸に回転可能に外嵌し、かつ前記スペーサと前記弾性体と前記弾性体ストッパが一体的に回転するようにして、前記スペーサと前記繰出コア用ギア間の摺動面、および前記弾性体ストッパと前記繰出コア用ギアおよびその係止部（Ｃ部品）間の摺動面に生ずる摩擦力を、動力伝達機構を介して巻取コアの回転トルクの少なくとも一部とした請求項３を引用する請求項４記載の塗膜転写具。
【請求項７】
端部に係止部を有する筒状の回転軸を備える繰出コア用ギア（Ｄ部品）の前記回転軸に、前記繰出コア用ギアに対面する端部が縮径された繰出コアの前記縮径部分（Ｂ部品）、弾性体、環状の弾性体ストッパ（Ａ部品）の三者を順次、外嵌して、前記係止部をもって抜け止めするとともに、前記繰出コア用ギアの回転軸を、ケース内に突設した支軸に回転可能に外嵌し、かつ、前記繰出コアと前記弾性体と前記弾性体ストッパが一体的に回転するようにして、前記繰出コアと繰出コア用ギア（Ｄ部品）間の摺動面、および前記弾性体ストッパと前記繰出コア用ギアの係止部（Ｃ部品）間の摺動面に生ずる摩擦力を、動力伝達機構を介して巻取コアの回転トルクの少なくとも一部とした請求項３を引用する請求項４記載の塗膜転写具。
【請求項８】
端部に係止部を有する弾性係止片を備える止めボタン（Ａ部品）の前記弾性係止片に、弾性体、繰出コア用ギア（Ｄ部品）に対面する端部が縮径された繰出コアの前記縮径部分（Ｂ部品）、繰出コア用ギアの三者を順次、外嵌して、前記係止部をもって抜け止めするとともに、前記止めボタンの前記弾性係止片をケース内に突設した支軸に回転可能に外嵌し、かつ前記止めボタンと前記弾性体と前記繰出コアが一体的に回転するようにして、前記繰出コアと前記繰出コア用ギア間の摺動面、および前記繰出コア用ギアと前記止めボタンにおける弾性係止片の係止部間の摺動面に生ずる摩擦力を、動力伝達機構を介して巻取コアの回転トルクの少なくとも一部とした請求項１または２を引用する請求項４記載の塗膜転写具。
【請求項９】
端部に係止部を有する筒状の回転軸を備える繰出コア用ギア（Ｂ部品）の前記回転軸に弾性体、環状の第１スペーサ（Ａ部品）、繰出コアと一体的に回転する環状の弾性体ストッパ（Ｃ部品）、環状の第２スペーサの四者を順次、外嵌して、前記係止部をもって抜け止めするとともに、前記繰出コア用ギアの回転軸を、ケース内に突設した支軸に回転可能に外嵌し、かつ前記繰出コア用ギアと、前記弾性体と前記第１スペーサと前記第２スペーサが一体的に回転するようにし、前記第１スペーサと前記弾性体ストッパ間の摺動面、および前記弾性体ストッパと前記第２スペーサ間の摺動面に生ずる摩擦力を、動力伝達機構を介して巻取コアの回転トルクの少なくとも一部とした請求項３記載の塗膜転写具。
【発明の詳細な説明】
【技術分野】
【０００１】
本発明は、修正用または貼着用等の塗膜転写テープを備える塗膜転写具に関する。
【背景技術】
【０００２】
一般に塗膜転写具は、ケース内に塗膜転写テープを巻装した繰出コアと使用後の塗膜転写テープを巻取る巻取コアとが動力伝達機構を介して連動するとともに、弾性体の復元力を利用して部品間の摺動面に生じさせた摩擦力により巻取コアまたは繰出コアの回転トルクを発生させるようにした自動巻取式の塗膜転写具が広く使用されている。弾性体の復元力を利用する具体的な形態としては、特許文献１に示されるように樹脂の弾性、特許文献２に示されるようにＯリングの弾性、特許文献３に示されるように圧縮スプリングの弾性をそれぞれ利用したものが公知である。
このうち、樹脂やＯリングの弾性を利用したものはクリープの影響を受けるため、回転トルクの調整が困難であるのに対して、圧縮スプリングの弾性を利用したものは、クリープの影響が少なく長期安定した荷重が得られるため、調整が容易である。
【０００３】
圧縮スプリングの弾性を利用した従来一般の塗膜転写具の形態を、図１１〜図１３に示す。
図１１は、塗膜転写具100の正面図、図１２は、図１１におけるXII〜XII線拡大縦断面図、図１３は、図１２における要部を縮小して示す分解斜視図である。端部に係止部101を有する弾性係止片102を備える巻戻しボタン103の前記弾性係止片102に、圧縮スプリング104と繰出コア用ギア105の二者を順次、外嵌するとともに、前記巻戻しボタン103の弾性係止片102を、ケース106内に突設した支軸107に回転可能に外嵌し、かつ前記巻戻しボタン103と繰出コア108が一体的に回転するようにして、圧縮スプリング104と巻戻しボタン103間の摺動面（破線円Ｘ）および圧縮スプリング104と繰出コア用ギア105間の摺動面（破線円Ｙ）、その他繰出コア用ギア105と繰出コア108間の摺動面（破線円Z１）、巻戻しボタン103の係止部101と繰出コア用ギア105間の摺動面（破線円Z2）に生ずる摩擦力によって、動力伝達機構を介して巻取コアの回転トルクを発生するようになっている。
【０００４】
一方、一般的な圧縮スプリングは、線材の表面状態を管理することが困難である。このため使用線材ロットによって、コイル線の表面状態が異なるために、相手部材と摺動する際の摩擦が安定せず、発生する回転トルクのばらつきが大きいという問題がある。
さらに、圧縮スプリングが、巻戻しボタンと繰出コア用ギアのどちらの部品と摺動するか一定ではなく、摺動する箇所が不安定であるため、ばらつきの要因になっていた。回転トルクのばらつきが大きいと、ばらつきの下限値でも塗膜転写テープを巻き取るように回転トルクを高めに設定する必要がある。しかし、回転トルクが高すぎ、転写が重たくなるため使用感が悪いばかりでなく、圧縮スプリング表面により相手部材を摩耗させ使用初期と使用終期とで回転トルクが変化するという問題もあった。
【先行技術文献】
【特許文献】
【０００５】
【特許文献１】特開２０１１−１２１２０４号公報
【特許文献２】特許第２８７６３０１号公報
【特許文献３】特許第３８７０９８６号公報
【発明の概要】
【発明が解決しようとする課題】
【０００６】
本発明は、前記の現状に鑑み、弾性体の表面状態による影響を受けることなく、ばらつきが可及的に少ない回転トルクを発生させることができ、さらに好ましくはクリープの影響が少なく、使用初期と使用終期とで回転トルクが変化することがない、長期安定した回転トルクが得られる塗膜転写具を提供することを課題とする。
【課題を解決するための手段】
【０００７】
本発明によると、前記課題は、次のような手段によって解決される。
【０００８】
（１）ケース内に塗膜転写テープを巻装した繰出コアと使用後の塗膜転写テープを巻取る巻取コアとが動力伝達機構を介して連動するとともに、弾性体の復元力を利用して部品間の摺動面に生じさせた摩擦力により巻取コアまたは繰出コアの回転トルクを発生させるようにした自動巻取式の塗膜転写具において、前記弾性体が、当該弾性体の一端と当接するＡ部品と、他端と当接するＢ部品とともに、一体的に回転するようにしたことを特徴とする塗膜転写具とする。
このような構成とすると、弾性体の表面状態による影響を受けることなく、ばらつきが可及的に少ない回転トルクを発生させることができ、安定した回転トルクが得られる。
【０００９】
（２）前記（１）項において、弾性体を圧縮スプリングとする。
このような構成とすると、クリープの影響が少なく、使用初期と使用終期とで回転トルクが変化することがない、長期安定した回転トルクが得られる。
【００１０】
（３）前記（１）項または（２）項において、Ａ部品を中間にして、弾性体と反対側に位置させたＣ部品と、Ａ部品とを当接させて摺動することによって生ずる、Ｃ部品とＡ部品間の摺動面の摩擦力を、巻取コアまたは繰出コアの回転トルクの少なくとも一部とする。
このような構成とすると、圧縮スプリングなどの弾性体の表面状態に影響されない回転トルクが得られる。
【００１１】
（４）前記（１）項〜（３）項のいずれかにおいて、Ｂ部品を中間にして、弾性体と反対側に位置させたＤ部品と、Ｂ部品とを当接させて摺動することによって生ずる、Ｄ部品とＢ部品間の摺動面の摩擦力を、巻取コアまたは繰出コアの回転トルクの少なくとも一部とする。
このような構成とすると、圧縮スプリングなどの弾性体の表面状態に影響されない回転トルクが得られる。
【００１２】
（５）前記（３）項において、端部に係止部を有する筒状の回転軸を備える繰出コア用ギア（Ｂ部品）の前記回転軸に弾性体、環状のスペーサ（Ａ部品）、繰出コアと一体的に回転する環状の弾性体ストッパ（Ｃ部品）の三者を順次、外嵌して、前記係止部をもって抜け止めするとともに、前記繰出コア用ギアの回転軸を、ケース内に突設した支軸に回転可能に外嵌し、かつ前記繰出コア用ギアと前記弾性体と前記スペーサが一体的に回転するようにして、前記スペーサと前記弾性体ストッパ間の摺動面、および前記弾性体ストッパと前記繰出コア用ギアの係止部間の摺動面に生ずる摩擦力を、動力伝達機構を介して巻取コアの回転トルクの少なくとも一部とする。
このような構成とすると、弾性体の表面状態による影響を受けることなく、ばらつきが可及的に少ない回転トルクを発生させることができる。
【００１３】
（６）前記（３）項を引用する前記（４）項において、端部に係止部を有する筒状の回転軸を備える繰出コア用ギア（Ｄ部品）の前記回転軸に環状のスペーサ（Ｂ部品）、弾性体、繰出コアと一体的に回転する環状の弾性体ストッパ（Ａ部品）の三者を順次、外嵌して、前記係止部をもって抜け止めするとともに、前記繰出コア用ギアの回転軸を、ケース内に突設した支軸に回転可能に外嵌し、かつ前記スペーサと前記弾性体と前記弾性体ストッパが一体的に回転するようにして、前記スペーサと前記繰出コア用ギア間の摺動面、および前記弾性体ストッパと前記繰出コア用ギアおよびその係止部（Ｃ部品）間の摺動面に生ずる摩擦力を、動力伝達機構を介して巻取コアの回転トルクの少なくとも一部とする。
このような構成とすると、弾性体の表面状態による影響を受けることなく、ばらつきが可及的に少ない回転トルクを発生させることができる。
【００１４】
（７）前記（３）項を引用する前記（４）項において、端部に係止部を有する筒状の回転軸を備える繰出コア用ギア（Ｄ部品）の前記回転軸に、前記繰出コア用ギアに対面する端部が縮径された繰出コアの前記縮径部分（Ｂ部品）、弾性体、環状の弾性体ストッパ（Ａ部品）の三者を順次、外嵌して、前記係止部をもって抜け止めするとともに、前記繰出コア用ギアの回転軸を、ケース内に突設した支軸に回転可能に外嵌し、かつ、前記繰出コアと前記弾性体と前記弾性体ストッパが一体的に回転するようにして、前記繰出コアと繰出コア用ギア（Ｄ部品）間の摺動面、および前記弾性体ストッパと前記繰出コア用ギアの係止部（Ｃ部品）間の摺動面に生ずる摩擦力を、動力伝達機構を介して巻取コアの回転トルクの少なくとも一部とする。
このような構成とすると、弾性体の表面状態による影響を受けることなく、ばらつきが可及的に少ない回転トルクを発生させることができる。
【００１５】
（８）前記（１）項または（２）項を引用する前記（４）項において、端部に係止部を有する弾性係止片を備える巻戻しボタン（Ａ部品）の前記弾性係止片に、弾性体、繰出コア用ギア（Ｄ部品）に対面する端部が縮径された繰出コアの前記縮径部分（Ｂ部品）、繰出コア用ギアの三者を順次、外嵌して、前記係止部をもって抜け止めするとともに、前記巻戻しボタンの前記弾性係止片をケース内に突設した支軸に回転可能に外嵌し、かつ前記巻戻しボタンと前記弾性体と前記繰出コアが一体的に回転するようにして、前記繰出コアと前記繰出コア用ギア間の摺動面、及び前記繰出コア用ギアと前記巻戻しボタンにおける弾性係止片の係止部間の摺動面に生ずる摩擦力を、動力伝達機構を介して巻取コアの回転トルクの少なくとも一部とする。
このような構成とすると、弾性体の表面状態による影響を受けることなく、ばらつきが可及的に少ない回転トルクを発生させることができる。
【００１６】
（９）前記（３）項において、端部に係止部を有する筒状の回転軸を備える繰出コア用ギア（Ｂ部品）の前記回転軸に弾性体、環状の第１スペーサ（Ａ部品）、繰出コアと一体的に回転する環状の弾性体ストッパ（Ｃ部品）、環状の第２スペーサの四者を順次、外嵌して、前記係止部をもって抜け止めするとともに、前記繰出コア用ギアの回転軸を、ケース内に突設した支軸に回転可能に外嵌し、かつ前記繰出コア用ギアと、前記弾性体と前記第１スペーサと前記第２スペーサが一体的に回転するようにし、前記第１スペーサと前記弾性体ストッパ間の摺動面、および前記弾性体ストッパと前記第２スペーサ間の摺動面に生ずる摩擦力を、動力伝達機構を介して巻取コアの回転トルクの少なくとも一部とする。
このような構成とすると、弾性体の表面状態による影響を受けることなく、ばらつきが可及的に少ない回転トルクを発生させることができる。
【発明の効果】
【００１７】
本発明によれば、弾性体の表面状態による影響を受けることなく、ばらつきが可及的に少ない回転トルクを発生させることができるとともに、使用初期と使用終期とで回転トルクが変化することがなく、さらに好ましい弾性体として圧縮スプリングを使用した場合は、クリープの影響が少なく長期安定した回転トルクが得られる。
【図面の簡単な説明】
【００１８】
【図１】本発明の実施例１を示し、繰出コアの軸芯位置における縦断面図であり、図１２に相当する図である。
【図２】図１における要部を縮小して示す分解斜視図である。
【図３】本発明の実施例２を示し、繰出コアの軸芯位置における縦断面図であり、図１２に相当する図である。
【図４】図３における要部を縮小して示す分解斜視図である。
【図５】本発明の実施例３を示し、繰出コアの軸芯位置における縦断面図であり、図１２に相当する図である。
【図６】図５における要部を縮小して示す分解斜視図である。
【図７】本発明の実施例４を示し、繰出コアの軸芯位置における縦断面図であり、図１２に相当する図である。
【図８】図７における要部を縮小して示す分解斜視図である。
【図９】本発明の実施例５を示し、繰出コアの軸芯位置における縦断面図であり、図１２に相当する図である。
【図１０】図９における要部を縮小して示す分解斜視図である。
【図１１】従来一般の塗膜転写具の正面図である。
【図１２】図１１におけるXII〜XII線縦断面図である。
【図１３】図１２における要部を縮小して示す分解斜視図である。
【発明を実施するための形態】
【００１９】
以下、本発明の実施形態を、弾性体として圧縮スプリングを使用した場合について説明する。なお、本発明の効果を充分に発揮させるうえでは、弾性体としては圧縮スプリングが最も望ましいが、本発明において使用し得る弾性体は圧縮スプリングに限定されず、Ｏリングなど適宜の弾性体を使用することができる。
【００２０】
本発明は、ケース内に塗膜転写テープを巻装した繰出コアと使用後の塗膜転写テープを巻取る巻取コアとが動力伝達機構を介して連動するとともに、弾性体の復元力を利用して部品間の摺動面に生じさせた摩擦力により巻取コアまたは繰出コアの回転トルクを発生させるようにした自動巻取式の塗膜転写具において、前記弾性体が、当該弾性体の一端と当接するＡ部品と、他端と当接するＢ部品とともに、一体的に回転するようにしたことを特徴とする塗膜転写具である。
【００２１】
回転トルクを発生させる摩擦力の具体的形態としては、Ａ部品を中間にして、弾性体と反対側に位置させたＣ部品と、Ａ部品とを当接させて摺動することによって生ずる、Ｃ部品とＡ部品間の摺動面の摩擦力を、巻取コアまたは繰出コアの回転トルクの少なくとも一部とした形態、または、Ｂ部品を中間にして、弾性体と反対側に位置させたＤ部品と、Ｂ部品とを当接させて摺動することによって生ずる、Ｄ部品とＢ部品間の摺動面の摩擦力を、巻取コアまたは繰出コアの回転トルクの少なくとも一部とした形態が挙げられる。
【００２２】
ここで、Ａ〜Ｄ部品が具体的にどのような部品であるかは、実施形態によって異なる。たとえば、Ａ部品としては、スペーサ、弾性体ストッパ、巻戻しボタン、第１スペーサ、Ｂ部品としては、スペーサ、繰出コアの縮径部分、繰出コア用ギア、Ｃ部品としては、弾性体ストッパ、繰出コア用ギアの係止部、Ｄ部品としては、繰出コア用ギアなどが挙げられる。以下、詳述する。
【００２３】
図１は、本発明の実施例１を示し、繰出コアの軸芯位置における縦断面図であり、図１２に相当する図である。図２は、図１における要部を縮小して示す分解斜視図である。
図２に示すように、繰出コア用ギア１（Ｂ部品）は、端部に係止部１ａを有する筒状の回転軸１ｂを備えており、図１に示すように、前記回転軸１ｂに、弾性体としての圧縮スプリング２、環状のスペーサ３（Ａ部品）、弾性体ストッパ４（Ｃ部品）の三者を順次、外嵌して前記係止部１ａをもって抜け止めした後に、繰出コア用ギア１の回転軸１ｂが、ケース５内に突設された支軸６に回転可能に外嵌されている。
【００２４】
環状のスペーサ３は、上端が拡径されており、この拡径部３ａの下面と繰出コア用ギア１の上面間に圧縮スプリング２が挟持されている。繰出コア用ギア１における回転軸１ｂの上端は一部切欠かれており、この切欠部１ｃに係止される被係止片３ｂがスペーサ３の環状内壁に付設されており、前記被係止片３ｂが前記切欠部１ｃに係止されることにより、繰出コア用ギア１と圧縮スプリング２とスペーサ３が一体的に回転するようになっている。
【００２５】
また、環状の弾性体ストッパ４の外周面には、リブ状係止部４ａが設けられており、繰出コア７の内周面には、前記リブ状係止部４ａが係止する被係止部７ａが付設されており、前記リブ状係止部４ａが前記被係止部７ａに係止することにより、弾性体ストッパ４は繰出コア７と一体的に回転する。
【００２６】
このため転写作業により、繰出コア７に巻装した塗膜転写テープが繰出されることによって、繰出コア７と一体的に回転する弾性体ストッパ４（Ｃ部品）とスペーサ３（Ａ部品）間の摺動面（破線円Ａ）、および弾性体ストッパ４と繰出コア７の係止部１ａ間の摺動面（破線円Ｂ）、および繰出コア７と繰出コア用ギア１間の摺動面（破線円Ｃ）に生ずる摩擦力が、動力伝達機構を介して巻取コアの回転トルクとなっている。
なお、本明細書において、「一体的に回転」とは、少量の相対回転はあっても、基本的に一体的に回転する構造であればよい。
【００２７】
図３は、本発明の実施例２を示し、繰出コアの軸芯位置における縦断面図であり、図１２に相当する図である。図４は、図３における要部を縮小して示す分解斜視図である。
図４に示すように、繰出コア用ギア８（Ｄ部品）は、端部に係止部８ａを有する筒状の回転軸８ｂを備えており、図３に示すように前記回転軸８ｂに、環状のスペーサ９（Ｂ部品）、圧縮スプリング１０、環状の弾性体ストッパ１１（Ａ部品）の三者を順次、外嵌して前記係止部８ａをもって抜け止めした後に、ケース１２内に突設された支軸１３に回転可能に外嵌されている。
【００２８】
スペーサ９の上面には、一対の立上り片９ａが立設されており、この立上り片９ａにより内側上面９ｂと外側上面９ｃに分離されている。また、環状の弾性体ストッパ１１は、上端が拡径されており、この拡径部１１ａの下面とスペーサ９の前記内側上面９ｂ間に圧縮スプリング１０が挟持されている。
スペーサ９における前記立上り片９ａの上端には切欠き９ｄがあり、繰出コア１４の内周面に設けられた被係止部１４ａが前記切欠き９ｄに係止されることにより、スペーサ９と繰出コア１４は一体的に回転する。また、環状の弾性体ストッパ１１の外周面には、リブ状係止部１１ｂが設けられており、このリブ状係止部１１ｂが繰出コア１４の内周面に設けられた被係止部１４ａに係止することにより、弾性体ストッパ１１は繰出コア１４と一体的に回転する。したがって、スペーサ９（Ｂ部品）、圧縮スプリング１０、弾性体ストッパ１１、繰出コア１４が一体的に回転することとなる。
【００２９】
このため転写作業により、繰出コア１４に巻装した塗膜転写テープ１５が繰出されることによって、スペーサ９と繰出コア用ギア８間の摺動面（破線円Ｄ）、および弾性体ストッパ１１と繰出コア用ギア８の係止部８ａ（Ｃ部品）間の摺動面（破線円Ｅ）に生ずる摩擦力が、動力伝達機構を介して巻取コアの回転トルクとなっている。
【００３０】
図５は、本発明の実施例３を示し、繰出コアの軸芯位置における縦断面図であり、図１２に相当する図である。図６は、図５における要部を縮小して示す分解斜視図である。
図６に示すように、繰出コア用ギア１６（Ｄ部品）は、端部に係止部１６ａを有する筒状の回転軸１６ｂを備えており、図５に示すように、前記回転軸１６ｂに、繰出コア１７、圧縮スプリング１８、環状の弾性体ストッパ１９（Ａ部品）の三者を順次、外嵌して前記係止部１６ａをもって抜け止めした後に、繰出コア用ギア１６の回転軸１６ｂが、ケース２０内に突設された支軸２１に回転可能に外嵌されている。
【００３１】
繰出コア１７は繰出コア用ギア１６に対面する端部が縮径されており、この縮径部分１７ａ（Ｂ部品）の上面と弾性体ストッパ１９の下面間に圧縮スプリング１８が挟持されている。
環状の弾性体ストッパ１９の外周面には、リブ状係止部１９ａが設けられており、繰出コア１７の内周面には、前記リブ状係止部１９ａが係止する被係止部１７ｂが付設されており、前記リブ状係止部１９ａが前記被係止部１７ｂに係止することにより、弾性体ストッパ１９は繰出コア１７と一体的に回転する。
したがって、弾性体ストッパ１９、圧縮スプリング１８、繰出コア１７が一体的に回転することとなる。
【００３２】
このため転写作業により、繰出コア１７に巻装した塗膜転写テープ２２が繰出されることによって、繰出コア１７と一体的に回転する弾性体ストッパ１９と繰出コア用ギア１６の係止部１６ａ（Ｃ部品）間の摺動面（破線円Ｆ）、および繰出コア１７と繰出コア用ギア１６（Ｄ部品）間の摺動面（破線円Ｇ）に生ずる摩擦力が、動力伝達機構を介して巻取コアの回転トルクとなっている。
【００３３】
図７は、本発明の実施例４を示し、繰出コアの軸芯位置における縦断面図であり、図１２に相当する図である。図８は、図７における要部を縮小して示す分解斜視図である。
図８に示すように、巻戻しボタン２３（Ａ部品）は、端部に係止部２３ａを有する弾性係止片２３ｂを備えており、図７に示すように、前記弾性係止片２３ｂに、圧縮スプリング２４、繰出コア２５、繰出コア用ギア２６（Ｄ部品）の三者を順次、外嵌して前記係止部２３ａをもって抜け止めした後に、巻戻しボタン２３の弾性係止片２３ｂが、ケース２７内に突設された支軸２８に回転可能に外嵌されている。
【００３４】
繰出コア２５は繰出コア用ギア２６に対面する端部が縮径されており、この縮径部分（Ｂ部品）の上面と巻戻しボタン２３の頭部２３ｃの下面間に圧縮スプリング２４が挟持されている。巻戻しボタン２３における頭部２３ｃの外周面にはリブ状係止部２３ｄが設けられており、繰出コア２５の内周面には、前記リブ状係止部２３ｄが係止する被係止部２５ｂが付設されており、前記リブ状係止部２３ｄが前記被係止部２５ｂに係止することにより、巻戻しボタン２３と圧縮スプリング２４と繰出コア２５は一体的に回転する。
【００３５】
このため転写作業により、繰出コア２５に巻装した塗膜転写テープ２９が繰出されることによって、繰出コア２５と繰出コア用ギア２６間の摺動面（破線円Ｈ）、および繰出コア用ギア２６と巻戻しボタン２３における弾性係止片２３ｂの係止部２３ａ間の摺動面（破線円Ｉ）に生ずる摩擦力が、動力伝達機構を介して巻取コアの回転トルクとなっている。
なお、ここでは巻戻しボタン２３を例示したが、巻き戻し機能を有さずに、前記巻戻しボタン２３と同様に係止部２３ａを有する弾性係止片２３ｂを備える止めボタンであってもよい。
【００３６】
図９は、本発明の実施例５を示し、繰出コアの軸芯位置における縦断面図であり、図１２に相当する図である。図１０は、図９における要部を縮小して示す分解斜視図である。
図１０に示すように、繰出コア用ギア３０（Ｂ部品）は、端部に係止部３０ａを有する筒状の回転軸３０ｂを備えており、図９に示すように、前記回転軸３０ｂに、圧縮スプリング３１、環状の第１スペーサ３２（Ａ部品）、環状の弾性体ストッパ３３（Ｃ部品）、環状の第２スペーサ３４の四者を順次、外嵌して前記係止部３０ａをもって抜け止めした後に、繰出コア用ギア３０の回転軸３０ｂが、ケース３５内に突設された支軸３６に回転可能に外嵌されている。
【００３７】
環状の弾性体ストッパ３３の外周面には、リブ状係止部３３ａが設けられており、繰出コア３７の内周面には、前記リブ状係止部３３ａが係止する被係止部３７ａが付設されており、前記リブ状係止部３３ａが前記被係止部３７ａに係止することにより、弾性体ストッパ３３は繰出コア３７と一体的に回転する。
繰出コア用ギア３０の回転軸３０ｂは、上半部において外周面がほぼ等間隔に切削されて４箇所の平面部３０ｃが形成されているとともに、第１スペーサ３２と第２スペーサ３４の内孔３２ａ、３４ａは平面視において角部が弧状の四辺形状となっており、前記第１スペーサ３２と第２スペーサ３４を前記繰出コア用ギア３０の回転軸３０ｂに回転不能に嵌合させることができ、これにより繰出コア用ギア３０と圧縮スプリング３１と第１スペーサ３２と第２スペーサ３４が一体的に回転するようになっている。
【００３８】
このため転写作業により、繰出コア３７に巻装した塗膜転写テープ３８が繰出されることによって、第１スペーサ３２と弾性体ストッパ３３間の摺動面（破線円Ｊ）、および弾性体ストッパ３３と第２スペーサ３４間の摺動面（破線円Ｋ）、および繰出コア３７と繰出コア用ギア３０間の摺動面（破線円Ｌ）に生ずる摩擦力が、動力伝達機構を介して巻取コアの回転トルクとなっている。
本実施例５は、実施例１と対比して、２つのスペーサ３２、３４を使用しているため、弾性体ストッパ３３の上下の摺動面の調整をすることによっても巻取コアの回転トルクを調整することができる利点がある。
【００３９】
以上、代表的な５種類の実施形態について説明したが、本発明はこれらの実施形態に限定されるものではなく、圧縮スプリングやＯリングなどの弾性体と当接する部品が、弾性体と一体的に回転する構造であればよく、種々の構造を採用することができる。
【符号の説明】
【００４０】
１    繰出コア用ギア
１ａ  係止部
１ｂ  回転軸
１ｃ  切欠部
２    圧縮スプリング
３    スペーサ
３a   拡径部
３ｂ  被係止片
４    弾性体ストッパ  
４ａ  リブ状係止部
５    ケース
６    支軸
７    繰出コア
７ａ  被係止部
８    繰出コア用ギア
８ａ  係止部
８ｂ  回転軸
９    スペーサ
９ａ  立上り片
９ｂ  内側上面
９ｃ  外側上面
９ｄ  切欠き
１０    圧縮スプリング
１１    弾性体ストッパ
１１ａ  拡径部
１１ｂ  リブ状係止部
１２    ケース
１３    支軸
１４    繰出コア
１４ａ  被係止部
１５    塗膜転写テープ
１６    繰出コア用ギア
１６ａ  係止部
１６ｂ  回転軸
１７    繰出コア
１７ａ  縮径部分
１７ｂ  被係止部
１８    圧縮スプリング
１９    弾性体ストッパ
１９ａ  リブ状係止部
２０    ケース
２１    支軸
２２    塗膜転写テープ
２３    巻戻しボタン
２３ａ  係止部
２３ｂ  弾性係止片
２３ｃ  頭部
２３ｄ  リブ状係止部
２４    圧縮スプリング
２５    繰出コア
２５ａ  縮径部分
２５ｂ  被係止部  
２６    繰出コア用ギア
２７    ケース
２８    支軸
２９    塗膜転写テープ
３０    繰出コア用ギア
３０ａ  係止部
３０ｂ  回転軸
３０ｃ  平面部
３１    圧縮スプリング
３２    第１スペーサ
３２ａ  内孔
３３    弾性体ストッパ
３３ａ  リブ状係止部
３４    第２スペーサ
３４ａ  内孔
３５    ケース
３６    支軸
３７    繰出コア
３７ａ  被係止部
３８    塗膜転写テープ
１００  塗膜転写具
１０１  係止部
１０２  弾性係止片
１０３  巻戻しボタン
１０４  圧縮スプリング
１０５  繰出コア用ギア
１０６  ケース
１０７  支軸
１０８  繰出コア
【図１】
2016107553.tif 000003
【図２】
2016107553.tif 000004
【図３】
2016107553.tif 000005
【図４】
2016107553.tif 000006
【図５】
2016107553.tif 000007
【図６】
2016107553.tif 000008
【図７】
2016107553.tif 000009
【図８】
2016107553.tif 000010
【図９】
2016107553.tif 000011
【図１０】
2016107553.tif 000012
【図１１】
2016107553.tif 000013
【図１２】
2016107553.tif 000014
【図１３】
2016107553.tif 000015